(57)【要約】【課題】有体物として存在する書籍のページをめくる動作に近い操作感をユーザに提供する。【解決手段】表示装置の表示画面１０１に電子化された書籍である電子書籍の内容を表示する電子ブック装置（例えば、電子ブック装置としての機能を備えたナビゲーション装置１００）が、電子書籍を構成する各ページを表示するためのページ情報を含む電子書籍情報を記憶する電子書籍情報記憶部２１を備え、表示画面１０１に電子書籍のページの変更要求を受け付ける小口画像を表示し、表示した小口画像に対する所定の操作を受け付け、受け付けた所定の操作に基づいて、表示画面１０１に表示中のページを他のページに変更するための変更ページ情報を特定し、変更ページ情報を特定したことに応じて表示画面１０１に表示した電子書籍のページがめくられてページが変更されたようにページ変更の経過を表示するページ変更演出を実行する。【選択図】図５
2012088801.tif 000002
【特許請求の範囲】
【請求項１】
表示装置の表示画面に電子化された書籍である電子書籍の内容を表示する電子ブック装置であって、
前記電子書籍を構成する各ページを表示するためのページ情報を含む電子書籍情報を記憶する電子書籍情報記憶手段と、
前記表示画面に前記電子書籍情報に基づいて表示された電子書籍のページの変更要求を受け付ける小口画像を表示する小口画像表示手段と、
該小口画像表示手段により表示された小口画像に対する所定の操作を受け付ける小口操作受付手段と、
該小口操作受付手段が受け付けた所定の操作に基づいて、前記表示画面に表示中のページを他のページに変更するための変更ページ情報を特定する変更ページ情報特定手段と、
該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段とを含む
ことを特徴とする電子ブック装置。
【請求項２】
前記電子書籍情報記憶手段に記憶された電子書籍情報毎に、前記ページ変更演出実行手段が実行するページ変更演出の際に表示されるページ変更演出用画像を作成して所定の記憶領域に保存するページ変更演出用画像保存手段を含み、
前記ページ変更演出実行手段は、ページ変更演出を実行する際、ページ変更の経過として表示する各ページの内容の一部として前記ページ変更演出用画像を表示する
請求項１記載の電子ブック装置。
【請求項３】
前記小口操作受付手段は、
前記小口画像に対する押下位置のスライド操作を受け付け、
前記変更ページ情報特定手段は、前記小口操作受付手段が受け付けたスライド操作の位置と速度とに応じて変更ページ情報を特定する
請求項１または請求項２記載の電子ブック装置。
【請求項４】
前記小口画像表示手段は、
前記表示画面における前記電子書籍の表示領域上の小口画像表示予定箇所に対する所定の操作を受け付けたことに応じて前記小口画像を表示する
請求項１から請求項３のうち何れかに記載の電子ブック装置。
【請求項５】
前記小口画像表示手段は、
前記表示装置の表示画面に表示された電子書籍ページのページ数に応じて小口画像の表示態様を変更する表示態様変更手段を有する
請求項１から請求項４のうち何れかに記載の電子ブック装置。
【請求項６】
電子ブック装置自体の姿勢の変更を検出する姿勢変更検出手段を含み、
前記変更ページ情報特定手段は、前記姿勢変更検出手段により検出された姿勢変更の度合いに応じた変更ページ情報としてページの変更数を決定するページ変更数決定手段を有し、
前記ページ変更演出実行手段は、前記ページ変更数決定手段により決定されたページ変更数分まとめてページがめくられてページが変更するようにページ変更の経過を表示する
請求項１から請求項５のうち何れかに記載の電子ブック装置。
【請求項７】
前記姿勢変更検出手段は、基礎姿勢に対する電子ブック装置自体の傾き角度を検出し、
前記ページ変更数決定手段は、前記姿勢変更検出手段により検出された傾き角度に基づいて単位時間あたりのページ変更数を決定する
請求項６記載の電子ブック装置。
【請求項８】
前記変更ページ情報特定手段は、前記傾き角度が所定角度以上である場合に、前記表示画面に表示された電子書籍の表紙または裏表紙を表示することを示す変更ページ情報を特定し、
前記ページ変更演出実行手段は、前記変更ページ情報特定手段が前記表示画面に表示された電子書籍の表紙または裏表紙を表示することを示す変更ページ情報を特定したことに応じて、前記電子書籍の表紙または裏表紙を変更後のページとするページ変更演出を実行する
請求項６または請求項７記載の電子ブック装置。
【請求項９】
表示装置の表示画面に電子化された書籍である電子書籍の内容を表示するように電子ブック装置に動作制御させるための電子ブックプログラムであって、
前記電子ブック装置に、
前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、
該小口画像表示処理にて表示された小口画像に対する所定の操作を受け付ける小口操作受付処理と、
該小口操作受付処理にて受け付けた所定の操作に基づいて、前記表示画面に表示中のページを他のページに変更するための変更ページ情報を特定する変更ページ情報特定処理と、
該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを
実行させるための電子ブックプログラム。
【発明の詳細な説明】
【技術分野】
【０００１】
本発明は、表示装置の表示画面に電子化された書籍である電子書籍の内容を表示する電子ブック装置、および電子ブック装置に動作制御させるための電子ブックプログラムに関する。
【背景技術】
【０００２】
近年、出版された紙媒体の書籍を電子化して、電子機器の表示画面で閲覧可能な状態にした電子書籍が流通するようになってきている。そのため、電子書籍を閲覧するための機能を備えた電子機器（以下、「電子ブック装置」と呼ぶ。）として種々の機能を備えたものが提案されている。
【０００３】
このような電子ブック装置には、ユーザに対する利便性を向上させようとするものや、操作感を現実に本を読む場合の感覚に近づけようとするものが多い。例えば、特許文献１には、小口および地側に、現在表示されているページの背後にあるページをずらせて表示する見開き画像について開示する。この特許文献１には、見開き画像を入力装置でポインティングすると、その位置を含むページが抽出されることや、小口や地をポインティングした場合は隠れているページが抽出されること、複数ページが抽出された場合は見開きページに最も近いページが指定ページとして確定され、そのページを含む見開きのプレビュー画像が表示されることが開示されている。さらに、ポインティングした位置がクリックされると、そのプレビュー画像に対応する見開き画像が表示され、一気に目当てのページへのジャンプが果たされることも開示されている。
【先行技術文献】
【特許文献】
【０００４】
【特許文献１】特開２０１０−３９７５７号公報
【発明の概要】
【発明が解決しようとする課題】
【０００５】
しかしながら、このような電子ブック装置では、電子書籍を取り扱うためにユーザに要求される動作が現実に有体物として存在する書籍のページをめくる動作と一致しないため、特に電子機器の操作に不慣れな需要者層にとって利便性に欠けてしまうという問題がった。
【０００６】
すなわち、電子ブック装置の操作方法が、電子機器で書籍を閲覧することへの抵抗を与える一つの要因となっていた。また、小口などに見開き画像を表示し、入力装置によるポインティングを受け付けたことに応じてその位置を含むページを抽出し、ページ情報をずらして表示するような方法を用いる場合には、ページ数が多い本（書籍）では小口の表示に過大な負荷がかかるため現実的ではないという問題があった。また、小口自体の表示領域に制限があるため、小口に全ページのイメージを表示することが困難となる場合があるという問題があった。
【０００７】
本発明は、上述した問題を解決すべく、有体物として存在する書籍のページをめくる動作に近い操作感をユーザに提供することができるようにすることを目的とする。
【課題を解決するための手段】
【０００８】
本発明の電子ブック装置は、表示装置の表示画面に電子化された書籍である電子書籍の内容を表示する電子ブック装置であって、前記電子書籍を構成する各ページを表示するためのページ情報を含む電子書籍情報を記憶する電子書籍情報記憶手段と、前記表示画面に前記電子書籍情報に基づいて表示された前記電子書籍のページの変更要求を受け付ける小口画像を表示する小口画像表示手段と、該小口画像表示手段により表示された小口画像に対する所定の操作を受け付ける小口操作受付手段と、該小口操作受付手段が受け付けた所定の操作に基づいて、前記表示画面に表示中のページを他のページに変更するための変更ページ情報を特定する変更ページ情報特定手段と、該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段を有することを特徴とする。
【０００９】
上記の構成としたことで、有体物として存在する書籍のページをめくる動作に近い操作感をユーザに提供することができるようになる。
【００１０】
前記電子書籍情報記憶手段に記憶された電子書籍情報毎に、前記ページ変更演出実行手段が実行するページ変更演出の際に表示されるページ変更演出用画像を作成して所定の記憶領域に保存するページ変更演出用画像保存手段を含み、前記ページ変更演出実行手段は、ページ変更演出を実行する際、ページ変更の経過として表示する各ページの内容の一部として前記ページ変更演出用画像を表示する構成とされていてもよい。
【００１１】
前記小口操作受付手段は、前記小口画像に対する押下位置のスライド操作を受け付け、前記変更ページ情報特定手段は、前記小口操作受付手段が受け付けたスライド操作の位置と速度とに応じて変更ページ情報を特定する構成とされていてもよい。
【００１２】
前記小口画像表示手段は、前記表示画面における前記電子書籍の表示領域上の小口画像表示予定箇所に対する所定の操作を受け付けたことに応じて前記小口画像を表示する構成とされていてもよい。
【００１３】
前記小口画像表示手段は、前記表示画面に対するピンチイン操作を受け付けたことに応じて前記小口画像を表示する構成とされていてもよい。
【００１４】
前記小口画像表示手段は、前記表示装置の表示画面に表示された電子書籍ページのページ数に応じて小口画像の表示態様を変更する表示態様変更手段を有する構成とされていてもよい。
【００１５】
電子ブック装置自体の姿勢の変更を検出する姿勢変更検出手段を含み、前記変更ページ情報特定手段は、前記姿勢変更検出手段により検出された姿勢変更の度合いに応じた変更ページ情報としてページの変更数を決定するページ変更数決定手段を有し、前記ページ変更演出実行手段は、前記ページ変更数決定手段により決定されたページ変更数分まとめてページがめくられてページが変更するようにページ変更の経過を表示する構成とされていてもよい。
【００１６】
前記姿勢変更検出手段は、基礎姿勢に対する電子ブック装置自体の傾き角度を検出し、前記ページ変更数決定手段は、前記姿勢変更検出手段により検出された傾き角度に基づいて単位時間あたりのページ変更数を決定する構成とされていてもよい。
【００１７】
前記変更ページ情報特定手段は、前記傾き角度が所定角度以上である場合に、前記表示画面に表示された電子書籍の表紙または裏表紙を表示することを示す変更ページ情報を特定し、前記ページ変更演出実行手段は、前記変更ページ情報特定手段が前記表示画面に表示された電子書籍の表紙または裏表紙を表示することを示す変更ページ情報を特定したことに応じて、前記電子書籍の表紙または裏表紙を変更後のページとするページ変更演出を実行する構成とされていてもよい。
【００１８】
また、本発明の電子ブックプログラムは、表示装置の表示画面に電子化された書籍である電子書籍の内容を表示するように電子ブック装置に動作制御させるための電子ブックプログラムであって、前記電子ブック装置に、前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、該小口画像表示処理にて表示された小口画像に対する所定の操作を受け付ける小口操作受付処理と、該小口操作受付処理にて受け付けた所定の操作に基づいて、前記表示画面に表示中のページを他のページに変更するための変更ページ情報を特定する変更ページ情報特定処理と、該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを実行させるためのものである。
【発明の効果】
【００１９】
本発明によれば、有体物として存在する書籍のページをめくる動作に近い操作感をユーザに提供することができるようになる。
【図面の簡単な説明】
【００２０】
【図１】電子ブック装置としての機能を備えたナビゲーション装置の構成の例を示すブロック図である。
【図２】制御部と記憶部の構成を説明するための説明図である。
【図３】電子書籍情報の格納状態の例を示す説明図である。
【図４】ページ変更演出用画像情報の格納状態の例を示す説明図である。
【図５】ページ表示処理の例を示すフローチャートである。
【図６】通常ページ表示画面からモード１画面への変更について説明するための説明図である。
【図７】モード１画面における小口操作について説明するための説明図である。
【図８】通常ページ表示画面からモード２画面への変更について説明するための説明図である。
【図９】モード２画面における小口操作について説明するための説明図である。
【図１０】モード３画面について説明するための説明図である。
【図１１】姿勢の変更を利用してページを変更する場合の例について説明するための説明図である。
【発明を実施するための形態】
【００２１】
以下、本発明の一実施の形態について図面を参照して説明する。
【００２２】
図１は、本発明の一実施の形態に係る電子ブック装置としての機能を備えたナビゲーション装置１００の構成の例を示すブロック図である。図１に示すように、ナビゲーション装置１００は、制御部１０と、記憶部２０と、メモリ３０と、表示部４０と、センサ部５０と、通信部６０と、入力部７０とを含む。
【００２３】
制御部１０は、例えばＣＰＵ（中央処理装置）により構成され、記憶部２０に記憶されたコンピュータプログラム（ナビゲーション装置１００に動作制御させるためのコンピュータプログラム）に従い、ナビゲーション装置１００を構成する各要素を統括制御し、経路探索機能、経路誘導機能、サービス情報（ガソリンスタンドやコンビニエンスストア、ラーメン店、ホテル・旅館といった店舗情報や、有名な施設情報、行楽地情報といったＰＯＩ（Point Of Interest）情報）を検索する情報検索機能を含む各種の処理を実行するための各種の機能を有する。なお、これらの各種の機能は、一般のナビゲーション装置が備える公知の技術によって実現される。
【００２４】
また、本例における制御部１０は、一般的な電子ブック装置としての機能（例えば、電子書籍を表示画面に表示する機能や、ページめくり機能など）を発揮するための機能を有し、ナビゲーション装置としての機能と連動することにより、より有効なナビゲーションを行うことができる。制御部１０の構成については、後で詳しく説明する（図２参照）。
【００２５】
記憶部２０は、ＲＯＭやＲＡＭなどで構成され、ナビゲーション装置１００が使用する各種コンピュータプログラム（電子ブックプログラムを含む。）や電子書籍情報など、電子ブック装置として必要な各種情報を記憶する記憶媒体である。記憶部２０の構成については、後で詳しく説明する（図２参照）。
【００２６】
メモリ３０は、制御部１０が処理する各種情報を一時的に保持する記憶媒体であり、ＲＡＭなどの半導体記憶装置により構成される。
【００２７】
表示部４０は、各種情報をユーザが認識可能な形で出力する機能を備え、例えば画像情報を表示する表示装置（ディスプレイ装置、モニタ）により構成される。表示部４０は、地図情報とユーザの現在位置情報とを表示装置の表示画面上に表示するとともに、目的地までの誘導経路を表示画面上に併せて表示することで、ユーザに対して道順を報知する。また、表示部４０は、ユーザの操作に応じて電子書籍を表示する。
【００２８】
センサ部５０は、ナビゲーション装置１００の現在位置（すなわち、ユーザの現在位置）を測位する機能を備えており、例えば、ＧＰＳ衛星から送られてくるＧＰＳ信号を受信し、このＧＰＳ信号に基づいて位置を測定するＧＰＳセンサや、初期位置から移動量（距離）を計測する速度センサ、進行（移動）方位を計測するジャイロセンサ等からなる。
【００２９】
ＧＰＳセンサは、いわゆるＧＰＳ受信機と称されるものであり、ＧＰＳ衛星から放射されるＧＰＳ信号を受信してＧＰＳ衛星とＧＰＳ受信機自身との距離（疑似距離）を測定し、複数の衛星からのＧＰＳ信号を同時に受信することによりＧＰＳ受信機自身の現在位置（ＧＰＳ測位解）を算出する。
【００３０】
また、センサ部５０は、ＧＰＳ信号を受信するＧＰＳ受信機（アンテナ）の他、受信したＧＰＳ信号のデコード等の処理を行い、制御部１０に通知する機能を有する。
【００３１】
通信部６０は、インターネットなどの通信ネットワークに無線あるいは有線によって接続し、通信ネットワークに接続された管理サーバなどの外部の装置と情報の送受信を行うための機能を有する。
【００３２】
入力部７０は、制御部１０に対する各種指示をユーザから受け付ける機能を備える。本例では、入力部７０は、例えば、表示部４０の表示画面上に表示される操作ボタンなどによって構成される。
【００３３】
図２は、本例の制御部１０と記憶部２０の構成を説明するための説明図である。図２に示すように、制御部１０は、センサ情報処理部１１と、通信処理部１２と、小口画像表示部１３と、小口操作受付部１４と、変更ページ情報特定部１５と、ページ変更演出実行部１６と、ページ変更演出用画像保存部１７と、姿勢変更検出部１８と、ページ表示部１９とを含む。
【００３４】
センサ情報処理部１１は、センサ部５０により位置情報や速度情報などのセンサ情報の取得や記憶などを行うための処理を実行する機能を有する。
【００３５】
通信処理部１２は、通信部６０により各種情報の送受信を行うための処理を実行する機能を有する。
【００３６】
小口画像表示部１３は、表示部４０の表示画面に、表示中の電子書籍のページの変更要求を受け付ける小口画像を表示する処理を実行する機能を有する。ここで、本例においては、「小口」とは、書籍の背（背表紙）の反対側の部分である前小口を意味するものとする。なお、小画像表示部１３は、表示する電子書籍のページ数に応じて表示する小口画像の幅を決定する。また、本例においては、小口画像表示部１３は、表示装置の表示画面における電子書籍の表示予定サイズに応じた小口の画像を予め画像で用意し（すなわち、記憶部２０に記憶しておき）、表示する電子書籍に対応する小口画像の基準サイズを特定し、画像幅Ｗピクセルを表示する電子書籍の全ページ数で割った値を１ページのピクセル数とする。すなわち、例えば小口画像の幅が１００ピクセルの場合に、１００ページ構成の電子書籍を表示する場合には、１ページが１ピクセルに対応することとなる。なお、小口を触ることによるぱらぱらめくりなので、（すなわち、小口画像に対する操作を受け付けてページ変更を実行するので、）、小口表示部１３は、例えば小口画像が押下状態にある間は所定速度で表示するページを変更していく構成とされていてもよい。このような構成とすることにより、小口で表現できていないページ（例えば、小口画像の最大幅が１００ピクセルの場合に、２００ページ構成の電子書籍を表示する場合の各ページ）の表示も可能となる。
【００３７】
小口操作受付部１４は、小口画像表示部１３により電子書籍情報に基づいて表示された小口画像に対する所定の操作を受け付ける処理を実行する機能を有する。ここで、「小口画像に対する所定の操作」とは、「小口画像の表示位置を押下する操作」と、「小口画像の表示態様に関する操作」の両方を含むものとする。本例においては、小口画像に対する操作として、複数の操作（例えば、小口画像表示領域を含む表画面の押下位置の移動操作（いわゆる、スライド操作）など）と各操作に応じて制御部１０が実行する処理内容（例えば、スライド操作におけるスライド量（押下位置の移動距離）に応じたページの変更など）とが予め記憶部２０に記憶されているものとする。小口操作受付部１４は、どの操作を受け付けたのかを、例えば表示画面の表示状態（例えば、何の画面を表示しているかなど）や表示画面の被押下位置などに基づいて判定し、判定結果を制御部１０に通知する。
【００３８】
変更ページ情報特定部１５は、小口操作受付部１４が受け付けた所定の操作に基づいて、表示画面に表示中のページを他のページに変更するための変更ページ情報を特定する処理を実行する機能を有する。本例においては、変更ページ情報特定部１５は、変更ページ情報として、「現在表示中のページからＮページ後（または前）のページ（Ｎは正の整数）」や「Ｎページ」というように、受け付けた操作に応じて表示すべきページを特定可能な情報を特定する。
【００３９】
ページ変更演出実行部１６は、変更ページ特定部１５により変更ページ情報が特定されたことに応じて、表示画面に表示された電子書籍のページがめくられてページが変更されたようにページ変更の経過を表示するページ変更演出を実行する機能を有する。本例においては、ページ変更演出実行部１６は、変更後のページを示す変更ページ情報に基づいて、ページ変更演出を行う。なお、本例においては、小口画像を用いたページの変更方法に関する技術内容について詳しく説明を行い、ページがめくられている様子を表現するための方法、すなわち、ページ変更演出にて実際にページがめくられたようにページ変更の過程を表示画面に表示する方法（例えば、アニメーション技術など）については、公知の技術を用いるので、ここでの詳細な説明は省略する。
【００４０】
ページ変更演出用画像保存部１７は、後述する電子書籍情報記憶部２１に記憶された電子書籍情報毎に、ページ変更演出実行部１６が実行するページ変更演出の際に表示されるページ変更演出用画像を作成して、後述するページ変更演出用画像情報記憶部２３に保存する処理を実行する機能を有する。ページ変更演出用画像情報については、後で再度説明する（図４参照）。なお、ページ変更演出用画像保存部１７によるページ変更演出用画像の作成時機は特に限定されず、例えば、制御部１０がページ変更演出の実行要求を受け付けた後であってもよいし、表示画面にページ変更演出用画像が保存されていないページが表示されたときであってもよい。また、電子書籍情報記憶部２１に電子書籍情報が記憶された直後であってもよい。なお、ユーザによるページ変更演出用画像の作成要求を受け付ける構成としてもよい。また、本例においては、ページ変更演出用画像は、後述するモード３においてのみ使用される（図１０参照）。また、ナビゲーション装置１００は、ページ変更演出用画像保存部１７の代わりに、電子書籍情報が示すページの所定範囲の部分をページ変更演出用画像として表示する構成としてもよい。この場合、電子書籍情報が示すページの所定範囲（例えば、ページ右端から全体の４分の１のページ画像など）のみを表示する処理に要する処理負荷が過大にならない構成とすることが好ましい。
【００４１】
姿勢変更検出部１８は、電子ブック装置自体の姿勢の変更を検出する処理を実行する機能を有する。なお、姿勢検出は加速度センサを用いた公知の技術を用いて実現するため、ここでの詳細な説明は省略する。
【００４２】
ページ表示部１９は、後述する電子書籍情報に基づいて表示部４０の表示画面に電子書籍を構成する各ページを表示するための処理を行う。また、ページ表示部１９は、後述するページ表示処理において、複数の表示モードで電子書籍を表示する処理などを行う。
【００４３】
記憶部２０は、ＲＯＭやＲＡＭなどで構成され、ナビゲーション装置１００が使用する各種コンピュータプログラムを記憶する記憶媒体である。また、本例において記憶部２０は、図２に示すように、電子書籍情報記憶部２１と、地図情報記憶部２２と、ページ変更演出用画像情報記憶部２３とを含む。
【００４４】
電子書籍情報記憶部２１は、電子書籍を構成する各ページを表示するためのページ情報を含む電子書籍情報を記憶する記憶媒体である。本例における電子書籍情報記憶部２１には、電子書籍情報が複数記憶されており、各電子書籍情報は、ページ情報の他、各電子書籍が記憶された日時や、書籍の発行日、著作者、出版元、発行所など、電子書籍に関する種々の情報を含む。なお、電子書籍には、特定地域に関する情報などを提供する一般的な旅行ガイドブックの他、機械類の操作方法などを説明する操作マニュアルなど種々のジャンルの書籍を電子化したものが含まれるものとする。
【００４５】
なお、電子書籍情報は、より多くの種類の電子書籍装置でも読める（表示できる）情報であることが好ましい。そのため、本例においては、電子書籍情報の内容の修正はできない構成となっている。
【００４６】
図３は、本例における電子書籍情報の格納状態の例を示す説明図である。図３に示すように、本例における電子書籍情報は、電子書籍を一意に特定するための電子書籍ＩＤと、書籍名称と、構成ページ数と、表示画面に表示中の電子書籍にのみ「１」が設定される表示フラグと、表示画面に表示中のページ（ページ数）とを含む。
【００４７】
地図情報記憶部２２は、所定のグリッド（本例においては、一定の緯度幅と緯度幅で区切られた矩形状の範囲）に分割して地図情報を記憶する記憶媒体である。地図情報は、地図情報記憶部２２に記憶されるほか、例えばＳＤメモリカードと呼ばれるリムーバルメディアとしての補助記憶装置や、ＣＤ−ＲＯＭやＤＶＤ−ＲＯＭ等に保存することができる。また、インターネット等の通信ネットワークを介して地図情報をダウンロードするようにしてもよい。
【００４８】
ページ変更演出用画像情報記憶部２３は、ページ変更演出用画像保存部１７により作成されたページ変更演出用画像情報の保存先となる記憶媒体である。
【００４９】
図４は、ページ変更演出用画像情報記憶部２３におけるページ変更演出用画像情報の格納状態の例を示す説明図である。図４に示すように、ページ変更演出用画像情報は、電子書籍ＩＤと、ページ変更演出用画像特定方法とを含む。
【００５０】
ここで、「ページ変更演出用画像特定方法」とは、ページ変更演出用画像として用いる画像の特定方法を示すものである。ページ変更演出用画像特定方法としては、例えば、「ページ右端からＡピクセル（Ａは任意の数値）」や「ページ情報の解像度をＸｄｐｉ(dot per inch)にした場合の右端Ｙピクセル（Ｘ，Ｙはともに任意の数値）」などが設定される。なお、ページ変更演出用画像特定方法が、ユーザにより設定可能な構成とされていてもよい。
【００５１】
なお、ページ変更演出用画像特定方法は、書籍を電子化する際に電子書籍情報の情報量に応じて制御部１０（または、電子化を行う者）が設定する構成としてもよいし、ナビゲーション装置１００のユーザにより設定可能な構成としてもよい。
【００５２】
次に、本例のナビゲーション装置１００の動作について図面を参照して説明する。なお、本発明に特に係わらない処理については、その詳細な説明を省略している場合がある。
【００５３】
図５は、ナビゲーション装置１００が実行するページ表示処理の例を示すフローチャートである。ページ表示処理では、ナビゲーション装置１００のユーザＡの操作に応じて電子書籍の任意のページを表示部４０の表示画面に表示するための処理が行われる。
【００５４】
本例におけるページ表示処理は、例えば、ユーザＡによる電子書籍の選択を受け付けたときに開始される。なお、このとき制御部１０は、表示画面に表示した電子書籍に対応する表示フラグのみを「１」に設定する（図３参照）。
【００５５】
ページ表示処理において、先ず、制御部１０は、表示部４０の表示画面に通常ページ表示画面を表示する（ステップＳ１０１）。なお、ここでの「通常」とは、後述する各種表示画面（モード１画面、モード２画面、およびモード３画面）が特別な表示態様であるのに対する表現である。
【００５６】
図６は、通常ページ表示画面からモード１画面への変更について説明するための説明図である。図６（Ａ）は、通常ページ表示画面の例を示す説明図である。図６（Ａ）に示すように、通常ページ表示画面は、電子書籍のページの少なくとも一部を表示するページ表示領域１０２と、ユーザＡによる操作入力を受け付けるための複数のボタン１０３Ａ〜１０３Ｅを含む操作ボタン表示領域１０３とを備える。制御部１０は、例えばユーザＡの指Ｆによりページめくりボタン１０３Ａまたはボタン１０３Ｂが押下されたことに応じて表示画面１０１に表示するページを変更する。
【００５７】
通常ページ表示画面を表示すると、制御部１０は、ユーザＡからの「モード１」への遷移操作を受け付けたか否かを判定する（ステップＳ１０２）。ここで、「モード」とは、ユーザＡによる電子書籍の操作を受け付ける方法の種類を示すものであり、本例においては、制御部１０は、ユーザＡによる操作に応じて、複数種類のモードを実行する。以下、本例においては、電子書籍の任意の１ページと小口画像とを表示する「モード１」、電子書籍の任意の見開き（すなわち、電子書籍の任意の連続する２ページ）と小口画像とを表示する「モード２」、および電子書籍の任意の１ページに対応するページ変更演出用画像と小口画像とを表示する「モード３」とについての説明を行なう。
【００５８】
本例においては、制御部１０は、表示画面１０１における画面端（例えば、小口画像表示予定箇所１０２Ａ（図６（Ａ）参照））、に対するスライド操作（ユーザＡの指Ｆによる表示画面１０１の押下位置の移動操作）を、モード１への遷移操作として受け付けるものとする。
【００５９】
モード１への遷移操作を受け付けない場合（ステップＳ１０２のＮ）、制御部１０は、後述するステップＳ２０１の処理に移行する。
【００６０】
一方、モード１への遷移操作を受け付けたと判定すると（ステップＳ１０２のＹ）、制御部１０は、ページ表示部１９により、例えば図６（Ｂ）に示すように、表示画面１０１にモード１画面を表示する（ステップＳ１０３）。
【００６１】
本例におけるモード１画面は、図６（Ｂ）に示すように、ページ画像表示領域１０４と、小口画像表示領域１０５とを備える。なお、モード１画面を表示するとき、制御部１０は、小口顔画像表示部１３により、ページ画像表示領域１０４に表示するページ（本例においては、通常ページ表示画面におけるページ表示領域１０２に表示されていたページ）に対応する小口画像を表示する。具体的には、制御部１０が、小口画像表示部１３により、ページ画像表示領域１０４に表示するページの縦方向のサイズとページ数とから、小口画像の縦×横のサイズを特定し、小口画像表示領域１０５に表示する。なお、小口画像表示部１３が、表示中の電子書籍に対応する小口模様１０６を表示する構成とされることが好ましい。この場合、例えば電子書籍情報として小口模様のデータを記憶しておき、小口画像を表示するときに、小口画像表示部１３が電子書籍情報記憶部２１を参照して表示フラグに「１」が設定された電子書籍に対応する小口模様データを読み出し、ページ画像表示領域１０４に表示するページのページ数に応じた幅で小口模様１０６を含む小口画像を小口画像表示領域１０５に表示する構成とすればよい（図３、図６（Ｂ）参照）。
【００６２】
モード１画面を表示すると、制御部１０は、小口操作受付部１４により、小口画像表示領域１０５に対する所定の操作（小口操作）を受け付ける（ステップＳ１０４）。ここで、小口操作を受け付けない場合（ステップＳ１０４のＮ）、制御部１０は、後述するステップＳ１０８の処理に移行する。
【００６３】
一方、小口操作を受け付けたと判定すると（ステップＳ１０４のＹ）、制御部１０は、変更ページ情報特定部１５により、受け付けた小口操作に応じた変更ページ情報を特定する（ステップＳ１０５）。
【００６４】
図７は、モード１画面における小口操作について説明するための説明図である。例えば、図７（Ａ）に示すように、小口画像表示領域１０５の表示位置を含む操作領域１０７に対する右方向へのスライド操作を受け付けると、制御部１０は、変更ページ情報特定部１５により、変更後のページを特定するための変更ページ情報を特定する。
【００６５】
変更ページ情報を特定すると、制御部１０は、ページ変更演出実行部１６により、特定した変更ページ情報に基づいてページ変更演出を実行する（ステップＳ１０６）。本例においては、ページ変更演出実行部１６が、変更ページ情報が示すページ数分だけページがめくれる様子を擬似的（または、仮想的）に示したアニメーションを再生するものとする。
【００６６】
ページ変更演出を実行すると、制御部１０は、変更後のページを表示するモード１画面を表示する（ステップＳ１０７）。なお、本例においては、変更後のページを表示するまでを、制御部１０が、ページ変更演出実行部１６により行うものとする。なお、変更後のページを表示するモード１画面には、例えば図７（Ｂ）に示すように、制御部１０が、変更後のページ１０４Ａと、変更後のページ１０４Ａに対応する幅の小口画像１０５Ａとを表示する。
【００６７】
変更後のページを表示すると、制御部１０は、所定の操作（例えば、ボタン１０３Ｄの押下）を受け付けることによりモード１画面を終了するか否かを判定する（ステップＳ１０８）。ここで、モード１画面を終了しないと判定すると（ステップＳ１０８のＮ）、制御部１０は、ステップＳ１０４の処理に移行する。
【００６８】
一方、所定の操作を受け付けたことによりモード１画面を終了すると判定すると（ステップＳ１０８のＹ）、制御部１０は、ステップＳ１０１の処理に移行する。
【００６９】
なお、図6と図７では、小口画像表示領域１０５をページ画像表示領域１０４の右側に配置し、小口画像（すなわち、小口画像表示領域１０４）に対する右方向へのスライド操作を受け付けた場合にページを進める構成について説明した。しかし、モード１画面の表示態様はこれに限定されず、例えば所定の操作（例えば、ページ画像表示領域１０４に対する左方向へのスライド操作）を受け付けた場合に、制御部１０が、小口画像表示領域をページ画像表示領域１０４の左側に配置し、小口画像に対する左方向へのスライド操作を受け付けた場合にページを戻す（すなわち、表示中のページよりも表紙に近いページを表示する）構成としてもよい。
【００７０】
一方、上述したページ表示処理におけるステップＳ１０２の処理において、モード１への遷移操作を受け付けないと判定すると（ステップＳ１０２のＮ）、制御部１０は、ユーザＡからの「モード２」への遷移操作を受け付けたか否かを判定する（ステップＳ２０１）。
【００７１】
図８は、通常ページ表示画面からモード２画面への変更について説明するための説明図である。図８（Ａ）は、通常ページ表示画面におけるモード２への遷移操作の例を示す説明図である。図８（Ａ）に示すように、通常ページ表示画面において、制御部１０は、ユーザＡの指Ｆによりページ表示領域１０２に対するいわゆるピンチイン操作をモード２への遷移操作として受け付けるものとする。なお、「ピンチイン操作」とは、2本の指を画面上に載せてその間隔を縮める動作であり、マルチタッチパネルを搭載した装置において、例えば画面の縮小などに用いられることが多い。なお、ナビゲーション装置１００がマルチタッチに対応していない場合には、他の操作方法をモード２への遷移操作とする構成とすればよい。
【００７２】
モード１への遷移操作を受け付けない場合（ステップＳ２０１のＮ）、制御部１０は、後述するステップＳ３０１の処理に移行する。
【００７３】
一方、モード２への遷移操作を受け付けたと判定すると（ステップＳ２０１のＹ）、制御部１０は、ページ表示部１９により、例えば図８（Ｂ）に示すように、表示画面１０１にモード２画面を表示する（ステップＳ２０２）。
【００７４】
本例においては、制御部１０は、モード２画面として、図８（Ｂ）に示すように、見開きの形態で電子書籍Ｂを構成する複数のページ２０１，２０２と、各ページに対応する小口画像２１０Ａ，２０２Ａとを表示する。
【００７５】
モード２画面を表示すると、制御部１０は、小口操作受付部１４により、小口画像２０１Ａまたは小口画像２０２Ａに対する所定の操作（小口操作）を受け付ける（ステップＳ２０３）。ここで、小口操作を受け付けない場合（ステップＳ２０３のＮ）、制御部１０は、後述するステップＳ２０７の処理に移行する。
【００７６】
一方、小口操作を受け付けたと判定すると（ステップＳ２０３のＹ）、制御部１０は、変更ページ情報特定部１５により、受け付けた小口操作に応じた変更ページ情報を特定する（ステップＳ２０４）。
【００７７】
図９は、モード２画面における小口操作について説明するための説明図である。例えば、図９（Ａ）に示すように、小口画像２０１Ａと小口画像２０２Ａの表示位置を含む操作領域２０３に対する左方向へのスライド操作を受け付けると、制御部１０は、変更ページ情報特定部１５により、変更後のページを特定するための変更ページ情報を特定する。すなわち、例えばユーザＡの指Ｆにより、小口画像２０２Ａの表示位置内における点Ｄの押下を受け付け、押下位置が画面左方向に移動したものと判定すると、制御部１０は、変更ページ情報特定部１５により、小口画像２０２Ａに対する点Ｄの位置、押下位置の移動速度、および押下位置の移動距離などに基づいて、変更後のページ（または、変更後のページとページ変更速度）を特定するための変更ページ情報を特定する。
【００７８】
変更ページ情報を特定すると、制御部１０は、ページ変更演出実行部１６により、特定した変更ページ情報に基づいてページ変更演出を実行する（ステップＳ２０５）。
【００７９】
本例においては、ページ変更演出実行部１６が、表示画面１０１に表示された電子書籍のページがめくられてページが変更されたようにページ変更の経過を表示する。具体的には、例えば図９（Ｂ）に示すように、変更ページ情報が示すページ数分だけページＰがめくれる様子を擬似的（または、仮想的）に示したアニメーションを再生する。
【００８０】
ページ変更演出を実行すると、制御部１０は、変更後のページを表示するモード２画面を表示する（ステップＳ２０６）。なお、本例においては、変更後のページを表示するまでを、制御部１０が、ページ変更演出実行部１６により行うものとする。なお、変更後のページを表示するモード２画面には、例えば図９（Ｃ）に示すように、制御部１０が、変更後のページ２０４，２０５と、変更後のページ２０４，２０５に対応する幅の小口画像２０４Ａ，２０５Ａとを表示する。
【００８１】
変更後のページを表示すると、制御部１０は、所定の操作（例えば、ボタン１０３Ｄの押下）を受け付けることによりモード２画面を終了するか否かを判定する（ステップＳ２０７）。ここで、モード２画面を終了しないと判定すると（ステップＳ２０７のＮ）、制御部１０は、ステップＳ２０３の処理に移行する。
【００８２】
一方、所定の操作を受け付けたことによりモード２画面を終了すると判定すると（ステップＳ２０７のＹ）、制御部１０は、ステップＳ１０１の処理に移行する。
【００８３】
一方、上述したページ表示処理におけるステップＳ２０１の処理において、モード２への遷移操作を受け付けないと判定すると（ステップＳ２０１のＮ）、制御部１０は、ユーザＡからの「モード３」への遷移操作を受け付けたか否かを判定する（ステップＳ３０１）。本例においては、制御部１０は、表示画面１０１における画面端（例えば、小口画像表示予定箇所１０２Ａ（図６（Ａ）参照））、に対するダブルクリック操作（ユーザＡの指Ｆにより、表示画面１０１の近接した領域（同じ位置を含む）を所定時間以内に２回押下する操作）を、モード３への遷移操作として受け付けるものとする。
【００８４】
モード３への遷移操作を受け付けない場合（ステップＳ３０１のＮ）、制御部１０は、後述するステップＳ４０１の処理に移行する。
【００８５】
一方、モード３への遷移操作を受け付けたと判定すると（ステップＳ３０１のＹ）、制御部１０は、ページ表示部１９により、表示画面１０１にモード３画面を表示する（ステップＳ３０２）。
【００８６】
図１０は、モード３画面について説明するための説明図である。図１０に示すように、本例におけるモード３画面は、モード３への遷移前の通常ページ表示画面におけるページ表示領域１０２（図６（Ａ）参照）に表示されていたページに対応するページ変更演出用画像（図４参照）を表示するためのページ変更演出用画像表示領域３０１と、ページ変更演出用画像表示領域に表示されたページ変更演出用画像に対応するページに対応する小口画像を表示する小口画像表示領域３０２とを備える。そのため、制御部１０は、通常ページ表示画面を消去してモード３画面を表示する場合、ページ変更演出用画像情報記憶部２３を参照して、ページ表示領域１０２に表示されたページに対応するページ変更演出用画像を検索する。
【００８７】
モード３画面を表示すると、制御部１０は、小口操作受付部１４により、小口画像表示領域３０２に対する（すなわち、小口画像表示領域３０２に表示された小口画像に対する）所定の操作（小口操作）を受け付ける（ステップＳ３０３）。ここで、小口操作を受け付けない場合（ステップＳ３０３のＮ）、制御部１０は、後述するステップＳ３０８の処理に移行する。
【００８８】
一方、小口操作（例えば、小口画像表示領域３０２に対するユーザＡの指Ｆによるスライド操作）を受け付けたと判定すると（ステップＳ３０３のＹ）、制御部１０は、変更ページ情報特定部１５により、受け付けた小口操作に応じた変更ページ情報を特定する（ステップＳ３０４）。
【００８９】
受け付けた小口操作に対応する変更ページ情報を特定すると、制御部１０は、ページ変更演出用画像情報記憶部２３を参照し、変更ページ情報に対応するページ変更演出用画像を選択する（ステップＳ３０５）。本例においては、例えば変更ページ情報が「変更後のページ＝現在表示中のページから１０ページ進んだページ」を示す場合、制御部１０は、ページ変更演出用画像情報記憶部２３に記憶されたページ変更演出用画像情報の中から、現在表示画面１０１に表示中のページから変更後のページまでのページ変更演出用画像を選択する。
【００９０】
ページ変更演出用画像を選択すると、制御部１０は、ページ変更演出実行部１６により、特定した変更ページ情報と選択したページ変更演出用画像とに基づいてページ変更演出を実行する（ステップＳ３０６）。
【００９１】
本例においては、ページ変更演出実行部１６が、表示画面１０１に表示された電子書籍のページがめくられてページが変更されたようにページ変更の経過を表示する。具体的には、制御部１０は、ページ変更演出用画像表示領域３０１に表示するページ変更演出用画像を所定の時間間隔で順次変更後のページに近いページに対応するものに変更していき、併せて小口画像表示領域３０２に表示する小口画像の幅をページ変更演出用画像表示領域３０１に表示したページ変更演出用画像に対応するページに対応する幅に変更していく。なお、「所定の時間間隔」は、小口の幅の変化とページ変更演出用画像がある程度ユーザＡが確認できるスピード（時間間隔）であることが好ましい。
【００９２】
ページ変更演出を実行すると、制御部１０は、変更後のページを表示するモード３画面を表示する（ステップＳ３０７）。なお、本例においては、変更後のページを表示するまでを、制御部１０が、ページ変更演出実行部１６により行うものとする。
【００９３】
変更後のページを表示すると、制御部１０は、所定の操作（例えば、ボタン１０３Ｄの押下）を受け付けることによりモード３画面を終了するか否かを判定する（ステップＳ３０８）。ここで、モード３画面を終了しないと判定すると（ステップＳ３０８のＮ）、制御部１０は、ステップＳ３０３の処理に移行する。
【００９４】
一方、モード３画面を終了すると判定すると（ステップＳ３０８のＹ）、制御部１０は、ステップＳ１０１の処理に移行する。
【００９５】
一方、上述したページ表示処理におけるステップＳ３０１の処理において、モード３への遷移操作を受け付けないと判定すると（ステップＳ３０１のＮ）、制御部１０は、ユーザＡからの通常ページ表示画面の終了操作を受け付けたか否かを判定する（ステップＳ４０１）。本例においては、制御部１０は、表示画面１０１におけるボタン１０３Ｅの押下を、通常ページ表示画面の終了操作として受け付ける。
【００９６】
通常ページ表示画面の終了操作を受け付けない場合（ステップＳ４０１のＮ）、制御部１０は、ページ表示処理におけるステップＳ１０１の処理に移行する。一方、通常ページ表示画面の終了操作を受け付けると（ステップＳ４０１のＹ）、制御部１０は、表示画面１０１から通常ページ表示画面を消去して、ここでの処理を終了する。  
【００９７】
以上に説明したように、上述した実施の形態では、表示装置（例えば、表示部４０）の表示画面１０１に電子化された書籍である電子書籍の内容を表示する電子ブック装置（例えば、電子ブック装置としての機能を備えたナビゲーション装置１００）が、電子書籍を構成する各ページを表示するためのページ情報を含む電子書籍情報を記憶する電子書籍情報記憶部２１を備え、表示画面１０１に電子書籍のページの変更要求を受け付ける小口画像（例えば、小口画像表示領域１０５に表示される小口画像）を表示し、表示した小口画像に対する所定の操作（例えば、スライド操作）を受け付け、受け付けた所定の操作に基づいて、表示画面１０１に表示中のページを他のページに変更するための変更ページ情報を特定し、変更ページ情報を特定したことに応じて表示画面１０１に表示した電子書籍のページがめくられてページが変更されたように（例えば、擬似的、または仮想的に）ページ変更の経過を表示するページ変更演出を実行する構成としているので、有体物として存在する書籍のページをめくる動作に近い操作感をユーザに提供することができるようになる。
【００９８】
すなわち、小口（前小口）に対する操作に応じてページがめくられた結果、表示画面１０１に表示されるページが変更したように見せることにより、実際の書籍の小口を押さえてページをパラパラとめくるような操作性を実現することができるようになる。また、電子ブック装置に「小口」の概念を導入することで、表示中のページ位置（書籍全体におけるページの位置）を視覚的に把握できるようになる。
【００９９】
なお、ページ変更演出においては、制御部１０が、ページがめくられる様子を擬似的に表現する際、小口のページの端の一部がある程度確認できる程度のスピードで表現する構成とされることが好ましい。
【０１００】
また、上述した実施の形態では、電子ブック装置（例えば、電子ブック装置としての機能を備えたナビゲーション装置１００）が、電子書籍情報記憶部２１に記憶された電子書籍情報毎に、実行するページ変更演出の際に表示されるページ変更演出用画像を作成して所定の記憶領域（例えば、ページ変更演出用画像情報記憶部２３）に保存し、ページ変更演出を実行する際、ページ変更の経過として表示する各ページの内容の一部としてページ変更演出用画像を表示する構成としているので（例えば、図１０参照）、ユーザが目的のページを視覚的に探しやすくすることができるようになる。
【０１０１】
また、上述した実施の形態では、電子ブック装置（例えば、電子ブック装置としての機能を備えたナビゲーション装置１００）が、小口画像に対する押下位置のスライド操作を受け付け、受け付けたスライド操作の位置と速度とに応じて変更ページ情報を特定する構成としているので、より有体物として存在する書籍のページをめくる動作に近い操作感をユーザに提供することができるようになる。
【０１０２】
また、上述した実施の形態では、電子ブック装置（例えば、電子ブック装置としての機能を備えたナビゲーション装置１００）が、表示画面１０１における電子書籍の表示領域上の小口画像表示予定箇所１０２Ａに対する所定の操作を受け付けたことに応じて小口画像を表示する構成としているので、ユーザが小口画像を必要とするときに容易に小口画像を表示することができるようになる。
【０１０３】
また、上述した実施の形態では、電子ブック装置（例えば、電子ブック装置としての機能を備えたナビゲーション装置１００）が、表示画面１０１に対するピンチイン操作を受け付けたことに応じて小口画像を表示する構成としているので（図８参照）、ユーザが小口画像を必要とするときに容易に小口画像を表示することができるようになる。
【０１０４】
なお、小口画像の表示に要する操作（すなわち、モード１、モード２、およびモード３への遷移操作）は特に限定されず、例えば専用のボタンを表示画面１０１上に表示する構成とされていてもよい。
【０１０５】
また、上述した実施の形態では、電子ブック装置（例えば、電子ブック装置としての機能を備えたナビゲーション装置１００）が、表示装置（例えば、表示部４０）の表示画面１０１に表示した電子書籍ページのページ数に応じて小口画像の表示態様を変更する（すなわち、例えば電子書籍における前半のページを表示する場合と後半のページを表示する場合とでは、小口画像の幅を変更する）構成としているので、ユーザが直感的に電子書籍をどの辺までめくったか、どの辺を参照しているのかを把握することができるようになる。
【０１０６】
なお、上述した実施の形態では、小口画像についての操作（小口操作）としてスライド操作を受け付ける場合について説明したが、小口操作はこれに限定されない。すなわち、小口操作として、電子ブック装置が、例えば、長押し操作やタップ操作（表示画面を指先で軽く叩く操作）などを受け付ける構成としてもよい。この場合、例えば長押しの時間によってめくるページ数やめくるスピードを変化させたり、タップ操作を受け付けた位置に対応するページを特定してページ変更を行ったりする構成とすればよい。また、小口画像に対する１回のタップ操作に対して１ページ、表示するページを進める構成としてもよい。この場合、例えばモード２画面においては（図９（Ｃ）参照）、左側に表示された小口画像２０４Ａに対するタップ操作を受け付けた場合には左側のページ画像２０４をめくり、右側に表示された小口画像２０５Ａに対するタップ操作を受け付けた場合には右側のページ画像２０５をめくる構成としてもよい。
【０１０７】
また、電子ブック装置（例えば、電子ブック装置としての機能を備えたナビゲーション装置１００）が、姿勢変更検出部１８などのセンサを利用してページを変更可能な構成としてもよい。
【０１０８】
すなわち、電子ブック装置（例えば、電子ブック装置としての機能を備えたナビゲーション装置１００）が、電子ブック装置自体の姿勢の変更を検出し、検出した姿勢変更の度合いに応じた変更ページ情報としてページの変更数を決定し、決定したページ変更数分まとめてページがめくられてページが変更するようにページ変更の経過を表示する構成としてもよい。このような構成とすることにより、傾きに対する電子書籍の反応を、有体物として存在する書籍の傾きに対する反応に近づけることができるようになる。
【０１０９】
また、電子ブック装置（例えば、電子ブック装置としての機能を備えたナビゲーション装置１００）が、基礎姿勢に対する電子ブック装置自体の傾き角度を検出し、検出した傾き角度に基づいて単位時間あたりのページ変更数を決定する構成としてもよい。
【０１１０】
また、電子ブック装置（例えば、電子ブック装置としての機能を備えたナビゲーション装置１００）が、  傾き角度が所定角度以上（例えば、９１度以上）である場合に、表示画面１０１に表示された電子書籍の表紙または裏表紙を表示することを示す変更ページ情報を特定し、表示画面１０１に表示された電子書籍の表紙または裏表紙を表示することを示す変更ページ情報を特定したことに応じて、前記電子書籍の表紙または裏表紙を変更後のページとするページ変更演出を実行する構成としてもよい。
【０１１１】
図１１は、ナビゲーション装置１００の姿勢の変更を利用してページを変更する場合の例について説明するための説明図である。例えば図１１（Ａ）に示すように、電子ブック装置としての機能を備えたナビゲーション装置１００が、所定の基礎姿勢でモード２画面を表示しているとする。このとき、制御部１０が、姿勢検出部１８により、ナビゲーション装置１００が図１１（Ｂ）や図１１（Ｃ）に示すように傾いたことを検出すると、変更ページ情報特定部１５により、傾き角度（または、傾く際の速度を含む所定の要素）に応じたページ変更量（例えば、０〜１５度＝固定、１６〜５０度＝１ページ／秒、５１〜９０度＝５ページ／秒、９１〜１８０度＝本を閉じる）を示す変更ページ情報を特定し、ページ変更演出実行部１６により、ページ変更量に対応する幅を有する小口画像ＰＵの表示を含むページ変更演出を実行する。
【０１１２】
なお、上述した実施の形態では特に言及していないが、電子ブック装置（例えば、電子ブック装置としての機能を備えたナビゲーション装置１００）が、表示装置（例えば、表示部４０）の表示画面１０１に表示したページからキーワードを抽出し、抽出したキーワードを用いて目的地の検索を行い、検索した目的地までの推奨移動経路を探索する構成としてもよい。
【産業上の利用可能性】
【０１１３】
本発明は、電子書籍を表示するデバイスを扱う業種において産業上有用であり、電子地図の表示が可能なカーナビゲーション装置等の電化製品市場においても有用である。
【符号の説明】
【０１１４】
１０    制御部
１１    センサ情報処理部
１２    通信処理部
１３    小口画像表示部
１４    小口操作受付部
１５    変更ページ情報特定部
１６    ページ変更演出実行部
１７    ページ変更演出用画像保存部
１８    姿勢変更検出部
１９    ページ表示部
２０    記憶部
２１    電子書籍情報記憶部
２２    地図情報記憶部
２３    ページ変更演出用画像情報記憶部
３０    メモリ
４０    表示部
５０    センサ部
６０    通信部
７０    入力部
【図１】
2012088801.tif 000003
【図２】
2012088801.tif 000004
【図３】
2012088801.tif 000005
【図５】
2012088801.tif 000006
【図４】
2012088801.tif 000007
【図６】
2012088801.tif 000008
【図７】
2012088801.tif 000009
【図８】
2012088801.tif 000010
【図９】
2012088801.tif 000011
【図１０】
2012088801.tif 000012
【図１１】
2012088801.tif 000013
【手続補正書】
【提出日】平成22年12月17日(2010.12.17)
【手続補正１】
【補正対象書類名】明細書
【補正対象項目名】０００８
【補正方法】変更
【補正の内容】
【０００８】
本発明の電子ブック装置は、表示装置の表示画面に電子化された書籍である電子書籍の内容を表示する電子ブック装置であって、前記電子書籍を構成する各ページを表示するためのページ情報を含む電子書籍情報を記憶する電子書籍情報記憶手段と、前記表示画面に前記電子書籍情報に基づいて表示された電子書籍のページの変更要求を受け付ける小口画像を表示する小口画像表示手段と、該小口画像表示手段により表示された小口画像に対する所定の操作を受け付ける小口操作受付手段と、該小口操作受付手段が受け付けた所定の操作に基づいて、前記表示画面に表示中のページを他のページに変更するための変更ページ情報を特定する変更ページ情報特定手段と、該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段とを含み、前記小口操作受付手段は、前記小口画像に対する押下位置のスライド操作を受け付け、前記変更ページ情報特定手段は、前記小口操作受付手段が受け付けたスライド操作の位置と速度とに応じて変更ページ情報を特定することを特徴とする。
【手続補正２】
【補正対象書類名】明細書
【補正対象項目名】００１１
【補正方法】削除
【補正の内容】
【手続補正３】
【補正対象書類名】明細書
【補正対象項目名】００１８
【補正方法】変更
【補正の内容】
【００１８】
また、本発明の電子ブックプログラムは、表示装置の表示画面に電子化された書籍である電子書籍の内容を表示するように電子ブック装置に動作制御させるための電子ブックプログラムであって、前記電子ブック装置に、前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、該小口画像表示処理にて表示された小口画像に対する所定の操作を受け付ける小口操作受付処理と、該小口操作受付処理にて受け付けた所定の操作に基づいて、前記表示画面に表示中のページを他のページに変更するための変更ページ情報を特定する変更ページ情報特定処理と、該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを実行させ、前記小口操作受付処理では、前記小口画像に対する押下位置のスライド操作を受け付ける処理を実行させ、前記変更ページ情報特定処理では、前記小口操作受付処理にて受け付けたスライド操作の位置と速度とに応じて変更ページ情報を特定する処理を実行させるためのものである。
【手続補正４】
【補正対象書類名】特許請求の範囲
【補正対象項目名】全文
【補正方法】変更
【補正の内容】
【特許請求の範囲】
【請求項１】
表示装置の表示画面に電子化された書籍である電子書籍の内容を表示する電子ブック装置であって、
前記電子書籍を構成する各ページを表示するためのページ情報を含む電子書籍情報を記憶する電子書籍情報記憶手段と、
前記表示画面に前記電子書籍情報に基づいて表示された電子書籍のページの変更要求を受け付ける小口画像を表示する小口画像表示手段と、
該小口画像表示手段により表示された小口画像に対する所定の操作を受け付ける小口操作受付手段と、
該小口操作受付手段が受け付けた所定の操作に基づいて、前記表示画面に表示中のページを他のページに変更するための変更ページ情報を特定する変更ページ情報特定手段と、
該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段とを含み、
前記小口操作受付手段は、前記小口画像に対する押下位置のスライド操作を受け付け、
前記変更ページ情報特定手段は、前記小口操作受付手段が受け付けたスライド操作の位置と速度とに応じて変更ページ情報を特定する
ことを特徴とする電子ブック装置。
【請求項２】
前記電子書籍情報記憶手段に記憶された電子書籍情報毎に、前記ページ変更演出実行手段が実行するページ変更演出の際に表示されるページ変更演出用画像を作成して所定の記憶領域に保存するページ変更演出用画像保存手段を含み、
前記ページ変更演出実行手段は、ページ変更演出を実行する際、ページ変更の経過として表示する各ページの内容の一部として前記ページ変更演出用画像を表示する
請求項１記載の電子ブック装置。
【請求項３】
前記小口画像表示手段は、
前記表示画面における前記電子書籍の表示領域上の小口画像表示予定箇所に対する所定の操作を受け付けたことに応じて前記小口画像を表示する
請求項１または請求項２記載の電子ブック装置。
【請求項４】
前記小口画像表示手段は、
前記表示装置の表示画面に表示された電子書籍ページのページ数に応じて小口画像の表示態様を変更する表示態様変更手段を有する
請求項１から請求項３のうち何れかに記載の電子ブック装置。
【請求項５】
電子ブック装置自体の姿勢の変更を検出する姿勢変更検出手段を含み、
前記変更ページ情報特定手段は、前記姿勢変更検出手段により検出された姿勢変更の度合いに応じた変更ページ情報としてページの変更数を決定するページ変更数決定手段を有し、
前記ページ変更演出実行手段は、前記ページ変更数決定手段により決定されたページ変更数分まとめてページがめくられてページが変更するようにページ変更の経過を表示する
請求項１から請求項４のうち何れかに記載の電子ブック装置。
【請求項６】
前記姿勢変更検出手段は、基礎姿勢に対する電子ブック装置自体の傾き角度を検出し、
前記ページ変更数決定手段は、前記姿勢変更検出手段により検出された傾き角度に基づいて単位時間あたりのページ変更数を決定する
請求項５記載の電子ブック装置。
【請求項７】
前記変更ページ情報特定手段は、前記傾き角度が所定角度以上である場合に、前記表示画面に表示された電子書籍の表紙または裏表紙を表示することを示す変更ページ情報を特定し、
前記ページ変更演出実行手段は、前記変更ページ情報特定手段が前記表示画面に表示された電子書籍の表紙または裏表紙を表示することを示す変更ページ情報を特定したことに応じて、前記電子書籍の表紙または裏表紙を変更後のページとするページ変更演出を実行する
請求項５または請求項６記載の電子ブック装置。
【請求項８】
表示装置の表示画面に電子化された書籍である電子書籍の内容を表示するように電子ブック装置に動作制御させるための電子ブックプログラムであって、
前記電子ブック装置に、
前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、
該小口画像表示処理にて表示された小口画像に対する所定の操作を受け付ける小口操作受付処理と、
該小口操作受付処理にて受け付けた所定の操作に基づいて、前記表示画面に表示中のページを他のページに変更するための変更ページ情報を特定する変更ページ情報特定処理と、
該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを実行させ、
前記小口操作受付処理では、前記小口画像に対する押下位置のスライド操作を受け付ける処理を実行させ、
前記変更ページ情報特定処理では、前記小口操作受付処理にて受け付けたスライド操作の位置と速度とに応じて変更ページ情報を特定する処理を
実行させるための電子ブックプログラム。
【手続補正書】
【提出日】平成23年4月25日(2011.4.25)
【手続補正１】
【補正対象書類名】明細書
【補正対象項目名】０００８
【補正方法】変更
【補正の内容】
【０００８】
本発明の電子ブック装置は、表示装置の表示画面に電子化された書籍である電子書籍の内容を表示する電子ブック装置であって、前記電子書籍を構成する各ページを表示するためのページ情報を含む電子書籍情報を記憶する電子書籍情報記憶手段と、前記表示画面に前記電子書籍情報に基づいて表示された電子書籍のページの変更要求を受け付ける小口画像を表示する小口画像表示手段と、該小口画像表示手段により表示された小口画像に対する所定の操作を受け付ける小口操作受付手段と、該小口操作受付手段が受け付けた所定の操作に基づいて、前記表示画面に表示中のページを他のページに変更するための変更ページ情報を特定する変更ページ情報特定手段と、該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段とを含み、前記小口操作受付手段は、前記小口画像が表示された領域である操作領域に対する押下位置のスライド操作を受け付け、前記変更ページ情報特定手段は、前記小口操作受付手段が受け付けた前記操作領域に対するスライド操作の位置と速度とに応じて変更ページ情報を特定することを特徴とする。
【手続補正２】
【補正対象書類名】明細書
【補正対象項目名】００１８
【補正方法】変更
【補正の内容】
【００１８】
また、本発明の電子ブックプログラムは、表示装置の表示画面に電子化された書籍である電子書籍の内容を表示するように電子ブック装置に動作制御させるための電子ブックプログラムであって、前記電子ブック装置に、前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、該小口画像表示処理にて表示された小口画像に対する所定の操作を受け付ける小口操作受付処理と、該小口操作受付処理にて受け付けた所定の操作に基づいて、前記表示画面に表示中のページを他のページに変更するための変更ページ情報を特定する変更ページ情報特定処理と、該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを実行させ、前記小口操作受付処理では、前記小口画像が表示された領域である操作領域に対する押下位置のスライド操作を受け付ける処理を実行させ、前記変更ページ情報特定処理では、前記小口操作受付処理にて受け付けた前記操作領域に対するスライド操作の位置と速度とに応じて変更ページ情報を特定する処理を実行させるためのものである。
【手続補正３】
【補正対象書類名】特許請求の範囲
【補正対象項目名】全文
【補正方法】変更
【補正の内容】
【特許請求の範囲】
【請求項１】
表示装置の表示画面に電子化された書籍である電子書籍の内容を表示する電子ブック装置であって、
前記電子書籍を構成する各ページを表示するためのページ情報を含む電子書籍情報を記憶する電子書籍情報記憶手段と、
前記表示画面に前記電子書籍情報に基づいて表示された電子書籍のページの変更要求を受け付ける小口画像を表示する小口画像表示手段と、
該小口画像表示手段により表示された小口画像に対する所定の操作を受け付ける小口操作受付手段と、
該小口操作受付手段が受け付けた所定の操作に基づいて、前記表示画面に表示中のページを他のページに変更するための変更ページ情報を特定する変更ページ情報特定手段と、
該変更ページ情報特定手段により変更ページ情報が特定されたことに応じて前記表示画面に表示された電子書籍のページがめくられてページが変更されたようにページ変更の経過を表示するページ変更演出を実行するページ変更演出実行手段とを含み、
前記小口操作受付手段は、前記小口画像が表示された領域である操作領域に対する押下位置のスライド操作を受け付け、
前記変更ページ情報特定手段は、前記小口操作受付手段が受け付けた前記操作領域に対するスライド操作の位置と速度とに応じて変更ページ情報を特定する
ことを特徴とする電子ブック装置。
【請求項２】
前記電子書籍情報記憶手段に記憶された電子書籍情報毎に、前記ページ変更演出実行手段が実行するページ変更演出の際に表示されるページ変更演出用画像を作成して所定の記憶領域に保存するページ変更演出用画像保存手段を含み、
前記ページ変更演出実行手段は、ページ変更演出を実行する際、ページ変更の経過として表示する各ページの内容の一部として前記ページ変更演出用画像を表示する
請求項１記載の電子ブック装置。
【請求項３】
前記小口画像表示手段は、
前記表示画面における前記電子書籍の表示領域上の小口画像表示予定箇所に対する所定の操作を受け付けたことに応じて前記小口画像を表示する
請求項１または請求項２記載の電子ブック装置。
【請求項４】
前記小口画像表示手段は、
前記表示装置の表示画面に表示された電子書籍ページのページ数に応じて小口画像の表示態様を変更する表示態様変更手段を有する
請求項１から請求項３のうち何れかに記載の電子ブック装置。
【請求項５】
電子ブック装置自体の姿勢の変更を検出する姿勢変更検出手段を含み、
前記変更ページ情報特定手段は、前記姿勢変更検出手段により検出された姿勢変更の度合いに応じた変更ページ情報としてページの変更数を決定するページ変更数決定手段を有し、
前記ページ変更演出実行手段は、前記ページ変更数決定手段により決定されたページ変更数分まとめてページがめくられてページが変更するようにページ変更の経過を表示する
請求項１から請求項４のうち何れかに記載の電子ブック装置。
【請求項６】
前記姿勢変更検出手段は、基礎姿勢に対する電子ブック装置自体の傾き角度を検出し、
前記ページ変更数決定手段は、前記姿勢変更検出手段により検出された傾き角度に基づいて単位時間あたりのページ変更数を決定する
請求項５記載の電子ブック装置。
【請求項７】
前記変更ページ情報特定手段は、前記傾き角度が所定角度以上である場合に、前記表示画面に表示された電子書籍の表紙または裏表紙を表示することを示す変更ページ情報を特定し、
前記ページ変更演出実行手段は、前記変更ページ情報特定手段が前記表示画面に表示された電子書籍の表紙または裏表紙を表示することを示す変更ページ情報を特定したことに応じて、前記電子書籍の表紙または裏表紙を変更後のページとするページ変更演出を実行する
請求項５または請求項６記載の電子ブック装置。
【請求項８】
表示装置の表示画面に電子化された書籍である電子書籍の内容を表示するように電子ブック装置に動作制御させるための電子ブックプログラムであって、
前記電子ブック装置に、
前記表示画面に前記電子書籍を構成する各ページを表示するためのページ情報を含む電子書籍情報を記憶する電子書籍情報記憶手段に記憶された電子書籍情報に基づいて表示された電子書籍のページの変更要求を受け付ける小口画像を表示する小口画像表示処理と、
該小口画像表示処理にて表示された小口画像に対する所定の操作を受け付ける小口操作受付処理と、
該小口操作受付処理にて受け付けた所定の操作に基づいて、前記表示画面に表示中のページを他のページに変更するための変更ページ情報を特定する変更ページ情報特定処理と、
該変更ページ情報特定処理にて変更ページ情報が特定されたことに応じて前記表示画面に表示された電子書籍のページがめくられてページが変更されたようにページ変更の経過を表示するページ変更演出を実行するページ変更演出実行処理とを実行させ、
前記小口操作受付処理では、前記小口画像が表示された領域である操作領域に対する押下位置のスライド操作を受け付ける処理を実行させ、
前記変更ページ情報特定処理では、前記小口操作受付処理にて受け付けた前記操作領域に対するスライド操作の位置と速度とに応じて変更ページ情報を特定する処理を
実行させるための電子ブックプログラム。